(57)【要約】【課題】連続表示する画像群について、より冗長性の低い遷移演出効果を付与できる画像編集装置を提供する。【解決手段】本発明に係る画像編集装置１００は、複数の画像を順に切り替えるときに施すべき表示処理である遷移演出効果を、切り替えられる前後の画像のうち少なくとも一方に施す画像編集装置であって、複数の画像を取得する取得部１５０と、取得した複数の画像のそれぞれに施すべき表示処理として当該画像に関連づけられた表示演出効果に基づいて、複数の画像を順に切り替えるときに施すべき遷移演出効果を決定する遷移効果決定部１６０と、表示演出効果及び遷移演出効果を複数の画像に施しながら表示装置に順に表示させる表示制御部１７０とを備える。【選択図】図１
2013009299.tif 000002
【特許請求の範囲】
【請求項１】
複数の画像を順に切り替えるときに施すべき表示処理である遷移演出効果を、切り替えられる前後の画像のうち少なくとも一方に施す画像編集装置であって、
前記複数の画像を取得する取得部と、
取得した前記複数の画像のそれぞれを表示するときに施すべき表示処理として当該画像に関連づけられた表示演出効果に基づいて、切り替えられる前後の画像のうち少なくとも一方に施すべき遷移演出効果を決定する遷移効果決定部と、
前記表示演出効果及び前記遷移演出効果を前記複数の画像に施しながら表示装置に順に表示させる表示制御部とを備える
画像編集装置。
【請求項２】
前記遷移効果決定部は、前記複数の画像のうち第１の画像に関連付けられた前記表示演出効果、及び、前記第１の画像に先行して表示される画像又は前記第１の画像に後続して表示される画像である第２の画像に関連付けられた前記表示演出効果のうち少なくとも一方に基づいて定まる複数の遷移演出効果の候補の中から、前記第１の画像及び前記第２の画像のうち一方から他方へ切り替えて表示するときに施すべき遷移演出効果を決定する
請求項１に記載の画像編集装置。
【請求項３】
複数の画像を順に切り替えるときに施すべき表示処理である遷移演出効果を、切り替えられる前後の画像のうち少なくとも一方に施す画像編集方法であって、
前記複数の画像を取得する取得ステップと、
取得した前記複数の画像のそれぞれを表示するときに施すべき表示処理として当該画像に関連づけられた表示演出効果に基づいて、切り替えられる前後の画像のうち少なくとも一方に施すべき遷移演出効果を決定する遷移効果決定ステップと、
前記表示演出効果及び前記遷移演出効果を前記複数の画像に施しながら前記表示装置に順に表示させる表示制御ステップとを含む
画像編集方法。
【請求項４】
請求項３に記載の画像編集方法をコンピュータに実行させるためのプログラムを格納したコンピュータ読み取り可能な記録媒体。
【発明の詳細な説明】
【技術分野】
【０００１】
本発明は、画像編集装置等に関し、特に連続して表示される複数の画像の編集が可能な画像編集装置等に関する。
【背景技術】
【０００２】
取得した静止画像データや動画像データといった素材を連続表示できる、電子機器やプログラムが知られている。このような電子機器やプログラムは、単純に画像を連続表示するだけではない。例えば、画像データひとつひとつに対して表示上の演出効果を付与する電子機器やプログラムがある。また、ある画像から別の画像に表示が遷移するときに表示上の演出効果を付与する電子機器やプログラムがある。以後、順に表示される画像ひとつひとつに対しての演出効果を「表示演出効果」と呼ぶ。すなわち、複数の画像を順に表示装置に表示させる際に、当該複数の画像のそれぞれにつき当該画像に施すべき表示処理を表示演出効果と呼ぶ。また、別の画像に表示が遷移するときの演出効果を「遷移演出効果」と呼ぶ。すなわち、ある画像を他の画像に切り替えて表示するときに、ある画像及び次の画像に施すべき表示処理を遷移演出効果と呼ぶ。そして、電子機器やプログラムは、画像に表示演出効果や遷移演出効果を付与するとき、しばしば画像の撮影情報を利用する。例えば、特許文献１には、大量の画像データを画面上に配置するときに、画像の撮影情報を利用して、各画像の表示位置を制御する画像表示方法が開示されている。
【先行技術文献】
【特許文献】
【０００３】
【特許文献１】特開２００５−３２２１９号公報
【発明の概要】
【発明が解決しようとする課題】
【０００４】
しかしながら、特許文献１に記載の画像表示方法においては、撮影情報で画像の表示方法が決定される。したがって、撮影情報が同じ画像に対しては同じ表示処理が行われる。そのため、取得した画像の中に撮影情報が同じ画像が重複する場合は、冗長的な演出効果になる可能性がある。
【０００５】
本発明は、上記課題を鑑みてなされたものであり、連続表示する画像群に、より冗長性の低い遷移演出効果を付与できる画像編集装置を提供することを目的とする。
【課題を解決するための手段】
【０００６】
上記目的を達成するために、本発明のある局面に係る画像編集装置は、複数の画像を順に切り替えるときに施すべき表示処理である遷移演出効果を、切り替えられる前後の画像のうち少なくとも一方に施す画像編集装置であって、前記複数の画像を取得する取得部と、取得した前記複数の画像のそれぞれを表示するときに施すべき表示処理として当該画像に関連づけられた表示演出効果に基づいて、切り替えられる前後の画像のうち少なくとも一方に施すべき遷移演出効果を決定する遷移効果決定部と、前記表示演出効果及び前記遷移演出効果を前記複数の画像に施しながら前記表示装置に順に表示させる表示制御部とを備える。
【０００７】
この構成によると、画像編集装置は、画像に事前に関連づけられた表示演出効果に基づいて、遷移演出効果を決定することができる。したがって、同じ遷移演出効果が連続する冗長性を低下させることができる。
【０００８】
なお、本発明は、このような画像編集装置として実現できるだけでなく、画像編集装置に含まれる特徴的な手段をステップとする画像編集方法として実現したり、そのような特徴的なステップをコンピュータに実行させるプログラムとして実現したりすることもできる。そして、そのようなプログラムは、ＣＤ−ＲＯＭ（Ｃｏｍｐａｃｔ  Ｄｉｓｃ  Ｒｅａｄ  Ｏｎｌｙ  Ｍｅｍｏｒｙ）等の記録媒体及びインターネット等の伝送媒体を介して流通させることができるのはいうまでもない。
【０００９】
さらに、本発明は、このような画像編集装置の機能の一部又は全てを実現する半導体集積回路（ＬＳＩ）として実現したり、このような画像編集装置を含む画像編集システムとして実現したりできる。
【発明の効果】
【００１０】
本発明によれば、連続表示する画像群に、より冗長性の低い遷移演出効果を付与できる画像編集装置を提供することができる。
【図面の簡単な説明】
【００１１】
【図１】本発明の実施の形態に係る画像編集装置を備える画像編集システムの全体構成を示す図である。
【図２】本発明の実施の形態に係る画像編集装置を実現するコンピュータシステムのハードウェア構成の一例を示すブロック図である。
【図３】本発明の実施の形態において取得される静止画像等のファイル構造の一例を示す図である。
【図４】本発明の実施の形態に係る撮影情報と表示演出効果との対応関係を示すテーブルの一例を示す図である。
【図５】本発明の実施の形態に係る表示演出効果と遷移演出効果との対応関係を示すテーブルの一例を示す図である。
【図６】本発明の実施の形態に係る液晶ディスプレイに表示される選択画面のイメージ図である。
【図７】本発明の実施の形態に係る液晶ディスプレイに表示される確認画面のイメージ図である。
【図８】本発明の実施の形態に係るテンプレートの階層構造を説明するための図である。
【図９】本発明の実施の形態に係る表示演出効果の例を示す図である。
【図１０】本発明の実施の形態に係る遷移演出効果の例を示す図である。
【図１１】実施の形態に係る画像編集装置が行う処理全体の流れを示すフローチャートである。
【図１２】本発明の実施の形態に係る画像編集装置がコンテデータを作成する処理の流れを示すフローチャートである。
【図１３】本発明の実施の形態に係る画像編集装置がコンテデータを作成する処理の流れを示す詳細なフローチャートである。
【図１４】本発明の実施の形態に係る遷移効果決定部が行う詳細な処理の流れを示すフローチャートである。
【図１５】本発明の実施の形態に係る遷移効果決定部が行う他の詳細な処理の流れを示すフローチャートである。
【発明を実施するための形態】
【００１２】
上記目的を達成するために、本発明のある局面に係る画像編集装置は、複数の画像を順に切り替えるときに施すべき表示処理である遷移演出効果を、切り替えられる前後の画像のうち少なくとも一方に施す画像編集装置であって、前記複数の画像を取得する取得部と、取得した前記複数の画像のそれぞれを表示するときに施すべき表示処理として当該画像に関連づけられた表示演出効果に基づいて、切り替えられる前後の画像のうち少なくとも一方に施すべき遷移演出効果を決定する遷移効果決定部と、前記表示演出効果及び前記遷移演出効果を前記複数の画像に施しながら前記表示装置に順に表示させる表示制御部とを備える。
【００１３】
この構成によると、画像編集装置は、画像に関連づけられた表示演出効果に基づいて、遷移演出効果を決定することができる。したがって、同じ遷移演出効果が連続する冗長性を低下させることができる。
【００１４】
また、前記遷移効果決定部は、前記複数の画像のうち第１の画像に関連付けられた前記表示演出効果、及び、前記第１の画像に先行して表示される画像又は前記第１の画像に後続して表示される画像である第２の画像に関連付けられた前記表示演出効果のうち少なくとも一方に基づいて定まる複数の遷移演出効果の候補の中から、前記第１の画像及び前記第２の画像のうち一方から他方へ切り替えて表示するときに施すべき遷移演出効果を決定するとしてもよい。
【００１５】
これによると、連続して表示される前後２枚の画像に関連づけられた表示演出効果に基づいて、２枚の画像を切り替える際に使用される遷移演出効果の候補が定まる。画像編集装置は、この候補の中から最終的に使用する遷移演出効果を決定することで、より冗長性を低下させることができる。さらに、２枚の画像に関連づけられた表示演出効果と視覚的に違和感のない遷移演出効果を定めることができる。
【００１６】
また、本発明の他の局面に係る画像編集方法は、複数の画像を順に切り替えるときに施すべき表示処理である遷移演出効果を、切り替えられる前後の画像のうち少なくとも一方に施す画像編集方法であって、前記複数の画像を取得する取得ステップと、取得した前記複数の画像のそれぞれを表示するときに施すべき表示処理として当該画像に関連づけられた表示演出効果に基づいて、切り替えられる前後の画像のうち少なくとも一方に施すべき遷移演出効果を決定する遷移効果決定ステップと、前記表示演出効果及び前記遷移演出効果を前記複数の画像に施しながら前記表示装置に順に表示させる表示制御ステップとを含む。
【００１７】
以下、本発明の実施の形態について、図面を用いて詳細に説明する。なお、以下で説明する実施の形態は、いずれも本発明の好ましい一具体例を示すものである。以下の実施の形態で示される数値、形状、構成要素、構成要素の配置位置及び接続形態、ステップ、ステップの順序などは、一例である。したがって、これらの各形態により、本発明が限定されるものではない。本発明は、特許請求の範囲だけによって限定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００１８】
本発明の実施の形態に係る画像編集装置は、連続表示する画像群に、より冗長性の低い表示演出効果と遷移演出効果とを付与できる。したがって、視覚的により効果的な表示演出効果と遷移演出効果とを画像群に付与できる。本実施の形態では、連続表示する画像群の一例として、ムービーを作成する場合を説明する。
【００１９】
本実施の形態に係るムービー作成では、ユーザーが選択したテンプレートに従って、ストーリーデータが作成される。テンプレートとは、例えば、連続して配置される画像の表示時間と、各画像に施す表示演出効果とを含む情報である。ストーリーデータとは、例えば、表示装置へ順に表示する画像の個数と、各画像の表示時間と、各画像に施す表示演出効果とを時間軸上に定めた情報である。そして、出来上がったストーリーデータが示す時間軸上に、個々の画像を示す識別情報と、表示演出効果の補正及び遷移演出効果とを配置することによりコンテデータが作成される。画像編集装置１００は、このコンテデータからムービーを作成する。
【００２０】
以下、図を用いて、システムの構成及び動作について詳細に説明する。
【００２１】
［１．システムの構成］
まず、本実施の形態に係る画像編集装置１００のシステムの構成について図１を用いて説明する。図１は、画像編集装置１００を備える画像編集システム２１０の全体構成を示す。
【００２２】
図１に示されるように、画像編集システム２１０は、画像編集装置１００と、表示装置２００とを備える。画像編集装置１００は、取得した複数の画像からコンテデータを作成する。また、画像編集装置１００は、作成したコンテデータから作成したムービーを表示装置２００に表示させる。
【００２３】
画像編集装置１００は、複数の画像を順に切り替えるときに施すべき表示処理である遷移演出効果を、切り替えられる前後の画像のうち少なくとも一方に施す画像編集装置である。より詳細には、画像編集装置１００は、取得部１５０と、表示効果決定部１５５と、遷移効果決定部１６０と、表示制御部１７０とを備える。
【００２４】
取得部１５０は、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、ＳＤメモリーカード等の記録媒体から複数の画像を示す画像情報を取得する。なお、以後、説明を簡単にするため、「画像を示す画像情報を取得する」ことを、「画像を取得する」ともいう。
【００２５】
表示効果決定部１５５は、取得した画像を表示装置２００へ表示する際に施す表示処理である表示演出効果を、画像ごとに決定する。具体的には、取得した複数の画像のそれぞれに付与されている撮影情報と事前に対応付けられた複数の表示演出効果の候補の中から、複数の表示演出効果のそれぞれに設定された優先度に基づいて、当該画像に関連づけるべき表示演出効果を決定する。より詳細は後述する。
【００２６】
遷移効果決定部１６０は、画像編集装置１００が使用する遷移演出効果を決定する。具体的には、遷移効果決定部１６０は、取得した複数の画像のそれぞれに施すべき表示処理として当該画像に事前に関連づけられた表示演出効果に基づいて定まる複数の遷移演出効果の候補の中から、切り替えられる前後の画像のうち少なくとも一方に施すべき遷移演出効果を決定する。
【００２７】
より具体的には、遷移効果決定部１６０は、複数の画像のうち第１の画像に関連付けられた表示演出効果、及び、第１の画像に先行して表示される画像又は第１の画像に後続して表示される画像である第２の画像に関連付けられた表示演出効果のうち少なくとも一方に基づいて定まる複数の遷移演出効果の候補の中から、切り替えられる前後の画像のうち少なくとも一方に施すべき遷移演出効果を決定する。
【００２８】
表示制御部１７０は、表示演出効果及び遷移演出効果を複数の画像に施しながら表示装置２００に順に表示させる。
【００２９】
表示装置２００は、静止画像及び動画像を表示することが可能な表示装置である。具体的には、液晶ディスプレイ、プラズマディスプレイ、有機ＥＬディスプレイ等である。
【００３０】
次に、図２を参照して、本実施の形態に係る画像編集装置１００を実現するコンピュータシステムのハードウェア構成を説明する。
【００３１】
図２は、画像編集装置１００を実現するコンピュータシステムのハードウェア構成の一例を示すブロック図である。
【００３２】
図２に示されるように、画像編集装置１００は、コンピュータ９９と、マウス１０５と、キーボード１０６とを備える。
【００３３】
コンピュータ９９は、ＣＰＵ１０１、システム管理メモリ１０２、ワークメモリ１０３、ＨＤＤ１０４、ＵＳＢコネクタ１０７、表示デバイス１０８、及び液晶ディスプレイ１０９等から構成されている。
【００３４】
ＣＰＵ１０１は、画像編集装置１００が行うべき処理を実行する処理部である。ＣＰＵ１０１は、システム管理メモリ１０２、ワークメモリ１０３、ＨＤＤ１０４、表示デバイス１０８、及びＵＳＢコネクタ１０７に電気的に接続されている。ＣＰＵ１０１は、表示デバイス１０８を介して、液晶ディスプレイ１０９に表示される画面を変更することができる。また、ＣＰＵ１０１は、ＵＳＢコネクタ１０７を介して、マウス１０５やキーボード１０６を用いてのユーザーの操作情報を受け付ける。また、図示していないが、画像編集装置１００の各部に供給される電力等のシステムを全体的に制御している。
【００３５】
システム管理メモリ１０２は、ＯＳ（Ｏｐｅｒａｔｉｎｇ  Ｓｙｓｔｅｍ）などが保持されているメモリである。また、システム管理メモリ１０２には、システム時刻などが格納されている。システム時刻は、ＣＰＵ１０１がＯＳのプログラムを動作させることにより更新される。
【００３６】
ワークメモリ１０３は、ＣＰＵ１０１が各種処理を実行するために必要な情報を一時的に格納するメモリである。ＣＰＵ１０１は、ユーザーが選択したテンプレート、ユーザーが選択した入力画像、表示演出効果テーブル、及び遷移演出効果テーブルに従ってストーリーデータやコンテデータを作成する。ワークメモリ１０３には、ＣＰＵ１０１により選択されたテンプレートの情報、作成中のストーリーデータやコンテデータの情報等が格納される。テンプレート情報と表示演出効果テーブルと遷移演出効果テーブルとの詳細については、後述する。
【００３７】
ＵＳＢコネクタ１０７は、マウス１０５とキーボード１０６とを画像編集装置１００に接続するためのコネクタである。
【００３８】
表示デバイス１０８は、ＣＰＵ１０１で演算された画面情報を映像化するデバイスである。表示デバイス１０８は、画面情報を液晶ディスプレイ１０９に伝える。液晶ディスプレイ１０９に表示される画面情報は、具体的には、画像編集装置１００の操作を行うためのＧＵＩ（Ｇｒａｐｈｉｃａｌ  Ｕｓｅｒ  Ｉｎｔｅｒｆａｃｅ）等を含む操作画面等である。
【００３９】
液晶ディスプレイ１０９は、表示デバイス１０８で映像化した画面情報を表示する表示デバイスである。なお、液晶ディスプレイ１０９の代わりに、プラズマディスプレイや有機ＥＬディスプレイなど任意の装置を使用してもよい。
【００４０】
マウス１０５は、ユーザーが編集操作時に使用するポインティングデバイスである。ユーザーは、マウス１０５を操作することにより、液晶ディスプレイ１０９に表示される操作画面上において、画像データやテンプレートを選択することができる。
【００４１】
キーボード１０６は、ユーザーが編集操作時に文字入力などを行う、キーボードデバイスである。
【００４２】
以上述べたコンピュータ９９において、ＣＰＵ１０１は、画像編集装置を実現するための画像編集ソフトをＨＤＤ１０４から読み出し、ワークメモリ１０３に格納する。次に、ＣＰＵ１０１は、画像編集ソフトを起動し、処理を実行する。例えば、ＣＰＵ１０１は、画像編集ソフトのプログラムに従って、以下の処理を実行する。
【００４３】
（１）マウス１０５、キーボード１０６で行われたユーザーの選択操作、編集操作を、ＵＳＢコネクタ１０７を介して取得する。
【００４４】
（２）ユーザーが選択したテンプレートの記述内容を読み出し、ストーリーデータを作成する。
【００４５】
（３）ストーリーデータが示す時間軸上に入力画像を配置する。また、表示演出効果テーブルに基づいて、ストーリーデータが示す時間軸上にある表示演出効果の調整を行う。さらに、遷移演出効果テーブルに基づいてストーリーデータが示す時間軸上に遷移演出効果を配置することにより、コンテデータを作成する。
【００４６】
（４）液晶ディスプレイ１０９にコンテデータを表示するために、作成したコンテデータを表す画像情報を表示デバイス１０８に供給する。
【００４７】
［２．静止画像及び、動画像の構造］
続いて、本実施の形態において取得部１５０が取得する静止画像や動画像のファイル構造について図３を用いて説明する。図３はＨＤＤ１０４に格納されている静止画像のファイル構造を示すイメージ図である。ここではファイル構造として、Ｅｘｉｆ（Ｅｘｃｈａｎｇｅａｂｌｅ  ｉｍａｇｅ  ｆｉｌｅ  ｆｏｒｍａｔ）を例に説明する。
【００４８】
図３に示すように、ファイル構造には，ヘッダ領域とデータ記録領域とが含まれる。ヘッダ領域には，このファイルを管理する各種データが格納されている。具体的には、ヘッダ領域には，圧縮データスタートを記憶する「ＳＯＩ」、及びアプリケーション・マーカセグメントを記憶する「ＡＰＰ１」の各領域が含まれている。また、データ記録領域には、量子化テーブルを記憶する「ＤＱＴ」、ハフマンテーブルを記憶する「ＤＨＴ」、フレームヘッダを記憶する領域「ＳＯＦ」、スキャンヘッダを記憶する領域「ＳＯＳ」、エントロピー符号化データ（圧縮データ）を記憶する領域及びエントロピー符号化データの終了を表すマーカーコード「ＥＯＩ」が含まれている。
【００４９】
ヘッダ領域の中の「ＡＰＰ１」には、さらに、ＡＰＰ１マーカ領域、Ｅｘｉｆ識別コードを記憶する領域、付属情報領域及びサムネイル領域が含まれている。ＡＰＰ１マーカ領域には、さらにＡＰＰＩマーカ及びＡＰＰＩの長さの各データを記憶する領域が含まれている。また、付属情報領域には、ＴＩＦＦヘッダ，０ｔｈ  ＩＦＤ、及び０ｔｈ  ＩＦＤの値をそれぞれ記憶する領域が含まれている。すなわち、付属情報領域には、エントロピー符号化データによって表される画像（主画像）に関する付属情報（撮影情報など）が格納されている。サムネイル領域には，１ｓｔ  ＩＦＤ  、１ｓｔ  ＩＦＤの値、及び１ｓｔ  ＩＦＤのサムネイル画像をそれぞれ記憶する領域が含まれている。
【００５０】
［３．撮影情報と表示演出効果の対応関係の構成］
本実施の形態に係る表示効果決定部１５５は、ある画像の付属情報に含まれる撮影情報に基づき、当該画像に対応する表示演出効果を決定する。
【００５１】
そこで、本実施の形態において表示効果決定部１５５が使用する撮影情報と表示演出効果との対応関係の一例について図４を用いて説明する。
【００５２】
図４は、撮影情報と表示演出効果との対応関係を表すテーブルの一例を示す。
【００５３】
図４に示すように、撮影情報と表示演出効果との対応関係を示すテーブルは、撮影情報欄３００、優先度欄３０１、表示演出効果リスト欄３０２等から構成される。
【００５４】
撮影情報欄３００には、図３で説明した、撮影時に画像に付与される撮影情報の一覧が示される。撮影情報は、例えば、画像の縦横比、焦点情報、人間の顔の位置座標、及び人間の顔の数等を示す情報である。また撮影情報は、人物モードや風景モード等の撮影モードの種類などを示す情報も含んでいる。
【００５５】
優先度欄３０１は、撮影情報が選択される優先度を示す。具体的には、取得した画像の撮影情報が撮影情報欄３００の複数個所に当てはまる場合、当該画像の撮影情報としてどの撮影情報が優先して選択されるかを表す。例えば、取得した画像の撮影情報が「横撮り画像で、人物が複数写っている」旨を示すとき、該入力画像は、図４に示す撮影情報欄３００において、「横撮り画像」「人物モードで撮影した画像」「人物が複数写っている画像」の３つに該当する。しかし、これらの撮影情報の中で、「人物が複数写っている画像」の優先度が「３」であり、最も高い。したがって、画像編集装置１００は、該画像の撮影情報として「人物が複数写っている画像」を採用する。また、取得した画像の撮影情報が「縦撮り」を示し、人物が写っているか、風景が写っているか不明な場合、画像編集装置１００は、該画像の撮影情報として「縦撮り」を採用する。優先度の表現方法は、図４のように数値の大きさで表現してもよい。また、数値以外で表現しても構わない。図４では、数値が大きいほうが優先度は高いことを示す。
【００５６】
表示演出効果リスト欄３０２は、それぞれの撮影情報に適した表示演出効果の候補を列挙したものである。例えば、横撮り画像は、縦より横に画像が長い。したがって、横方向の平行移動（右方向に平行移動、又は左方向に平行移動）が表示演出効果として適していると考えられる。そのため、図４に示すテーブルでは、横撮り画像の表示演出効果の候補として、右方向に平行移動、及び左方向に平行移動を記述している。
【００５７】
ここで、作成したムービーを再生したときに同じ撮影情報を有する画像が続くと、同じ表示演出効果が続く。その結果、冗長的な表示演出効果になる。従って、冗長的な表示演出効果を避けるため、本実施の形態に係る表示効果決定部１５５は、横撮りの表示演出リストには、右方向に平行移動、左方向に平行移動の他に、画像の属性に左右されにくい表示演出効果である、拡大と縮小とを候補として加えている。
【００５８】
ここで、図９を参照して、表示演出効果の例について説明する。
【００５９】
図９は、本実施の形態における表示演出効果の例である。図９は、表示演出効果として、「右方向に平行移動（例１）」「縮小（例２）」「変色（例３）」をそれぞれ例示している。
【００６０】
次に、再度図４を参照して、本実施の形態においては、全ての画像に対して当てはめることができる表示演出効果リストとして、一番低い優先度「０」の表示演出効果リストを設定する。これにより、表示効果決定部１５５は、より冗長性の低い表示演出効果の候補を選択肢に含めることができる。例えば、「横撮り画像」が連続するような場合に、優先度「０」の表示演出効果リストがなければ、表示演出効果として、右方向に平行移動、左方向に平行移動、拡大、縮小が繰り返し適用されることになる。しかし、全ての画像に対して当てはめることができる優先度「０」の表示演出効果リストを有することで、「横撮り画像」に対応付けられた表示演出効果リストに含まれる表示演出効果の候補のみをローテーションさせることを避けることができる。
【００６１】
すなわち、表示効果決定部１５５は、図４に示されるように、画像の撮影情報と複数の表示演出効果の候補である表示演出効果リストとの対応関係を示すテーブルを参照し、対象画像の撮影情報に対応する表示演出効果リストを選択する。撮影情報に対応する表示演出効果リストが複数ある場合には、原則として最も優先度の高い表示演出効果リストを選択する。表示効果決定部１５５は、こうして選択された表示演出効果リストに含まれる複数の表示演出効果の候補の中から、表示演出効果を決定する。
【００６２】
ここで、表示演出効果リストに２つ以上の表示演出効果の候補が列挙されていたら、直前に選択した表示演出効果と異なるように、表示演出効果を決定する。冗長的な表示演出効果としないためである。
【００６３】
なお、表示効果決定部１５５は、最も優先度の高い撮影情報に対応する表示演出効果の候補と、最も優先度の低い撮影情報に対応する表示演出効果の候補との和集合の中から、直前に選択した表示演出効果と異なるよう、表示演出効果を決定してもよい。また、撮影情報に対応する表示演出効果リストが複数ある場合において、最も優先度が高い表示演出効果リストが直前に使用した表示演出効果リストと同じ場合には、より低い優先度の表示演出効果リストの中から、表示演出効果を決定してもよい。
【００６４】
［４．表示演出効果と遷移演出効果の対応関係の構成］
本実施の形態に係る遷移効果決定部１６０は、表示演出効果に基づいて、遷移演出効果を決定する。そこで、本実施の形態において画像編集装置１００が使用する表示演出効果と遷移演出効果との対応関係の一例について図５を用いて説明する。
【００６５】
図５は、表示演出効果と遷移演出効果との対応関係を示すテーブル（以後、遷移テーブルともいう）の一例である。
【００６６】
図５に示すように、遷移テーブルは、表示演出効果欄４００、遷移演出効果リスト欄４０１、優先度欄４０２等から構成される。
【００６７】
表示演出効果欄４００には、表示演出効果の一覧が示される。なお、図５では、次の画像に遷移する前の画像に関連づけられた表示演出効果（遷移前表示演出効果）と、次の画像に遷移した後の画像に対し関連づけられた表示演出効果（遷移後表示演出効果）とのそれぞれに対応付けて遷移演出効果を定めている。しかし、遷移前表示演出効果、もしくは、遷移後表示演出効果のどちらか１つだけの表示演出効果に対応付けて遷移演出効果を定めても構わない。また、ある画像及びその前後の画像の合計３枚の画像にそれぞれ関連づけられた表示演出効果に対応付けて遷移演出効果を定めてもよい。
【００６８】
遷移演出効果リスト欄４０１は、２つの表示演出効果の間に使用する、もしくは、とある表示演出効果の後ろに使用する、もしくは、とある表示演出効果の前に使用するのに、適した遷移演出効果の候補を列挙したものである。例えば、遷移前表示演出効果と遷移後表示演出効果とが、両方とも「右方向に平行移動」である場合、遷移演出効果においても、前後の表示演出効果と同じ右向きに画像を移動させるのが好ましいと考えられる。従って、図５に示されるように、遷移演出効果リスト欄４０１には、前後の表示演出効果がともに「右方向に平行移動」であるときに対して、「右にスライドイン」が記述されている。また、遷移前表示演出効果が「左方向に平行移動」であり、遷移後表示演出効果が「右方向に平行移動」である場合、遷移演出効果においては、画像を遷移前表示演出効果と同じで左に移動するか、又は遷移後表示演出効果と同じで右に移動するのが好ましいと考えられる。従って、遷移演出効果リスト欄４０１には、遷移前表示演出効果が「左方向に平行移動」であり、遷移後表示演出効果が「右方向に平行移動」である場合には、対応する遷移演出効果として「左にスライドイン」と、「右にスライドイン」とが記述されている。なお、同じ遷移演出効果が続くことにより冗長的な遷移演出効果になるのを避けるため、スタンダードな遷移演出効果である、「クロスフェード」も、候補として遷移演出効果リストに加えている。
【００６９】
すなわち、遷移効果決定部１６０は、第１の表示演出効果において第１の画像が移動する方向と、第２の表示演出効果において第２の画像が移動する方向との少なくとも一方と一致するように、遷移演出効果において第１の画像及び第２の画像が移動する方向を決定してもよい。
【００７０】
ここで、図１０を参照して、遷移演出効果の具体例について述べる。
【００７１】
図１０は、遷移演出効果の例を示す図である。図１０においては、表示演出効果として、「スピンアウト（例１）」と、「クロスフェード（例２）」と、「左にスライドイン（例３）」とをそれぞれ使用した場合の、切替前後の画像に施される表示処理を例示している。
【００７２】
次に、再度図５を参照して、優先度欄４０２は、遷移演出効果リストの優先度を表したものである。優先度の表現方法は、図５のように数値の大きさで表現してもよい。また、数値以外で表現しても構わない。図５では、数値が大きいほうが、優先度が高い。
【００７３】
すなわち、図５に示される遷移テーブルには、ある遷移前表示演出効果とある遷移後表示演出効果とに対応付けられた表示処理である遷移演出効果の候補として、（１）同じ遷移演出効果リストに含まれる遷移演出効果の候補と、（２）異なる優先度をもつ遷移演出効果リストに含まれる遷移演出効果の候補とが含まれている。
【００７４】
遷移効果決定部１６０は、遷移演出効果を決定するために、遷移テーブルの表示演出効果欄４００を参照する。次に、遷移前表示演出効果と、遷移後表示演出効果とが一致する行に対応する遷移演出効果リスト欄４０１の中から、一番優先度が高い遷移演出効果リストを選択する。その後、遷移演出効果リストに含まれている遷移演出効果の候補の中から、使用すべき遷移演出効果を決定する。なお、遷移演出効果リストに２つ以上効果が列挙されていたら、冗長的な遷移演出効果にならないよう、直前に使用される遷移演出効果と異なる遷移演出効果を選択する。
【００７５】
なお、対応する遷移演出効果リストが複数ある場合、冗長となることを避けるために、最も優先度が高い遷移演出効果リスト以外を選択してもよい。例えば、第１画像に施される表示演出効果が「拡大」であり、第２画像に施される表示演出効果が「拡大」である場合、対応する遷移演出効果は、優先度２の「スピンイン」と、優先度３の「破裂」とがある。ここでは、優先度が高い「破裂」が選択される。したがって、第１の画像と第２の画像とを切り替える際に使用される遷移演出効果は、「破裂」となる。その後、第２画像の次に表示される第３画像に施される表示演出効果も「拡大」出会った場合、対応する遷移演出効果は、同様に優先度２の「スピンイン」と、優先度３の「破裂」とである。ここで、遷移効果決定部１６０は、直前の遷移演出効果と異なる遷移演出効果を選択するため、より優先度が低い優先度２の「スピンイン」を選択してもよい。このとき、第２の画像と第３の画像とを切り替える際に使用される遷移演出効果は、「スピンイン」となる。
【００７６】
以上述べたように、遷移効果決定部１６０は、第１画像が第２画像に先行して表示される画像であるとした場合、第１画像に関連づけられた第１の表示演出効果、及び第２画像に関連づけられた第２の表示演出効果の少なくとも一方と、第１の画像から第２の画像へと切り替えて表示するときに施されうる複数の遷移演出効果の候補とが事前に対応付けられている遷移テーブルを参照する。その後、遷移効果決定部１６０は、複数の遷移演出効果の候補それぞれの使用頻度が事前に定められた閾値以下となるように、当該複数の遷移演出効果の候補の中から施すべき遷移演出効果を決定してもよい。
【００７７】
ここで、遷移演出効果の使用頻度は、例えば、「過去５回のうち３回使用された」「直前と同じものが使用された」というような、直近の規程回数以内に当該候補が遷移演出効果として使用された回数、又はその割合として算出することなどが考えられる。
【００７８】
このとき、複数の遷移演出効果の候補それぞれには優先度が設定されており、遷移効果決定部１６０は、優先度がより高い遷移演出効果の候補を、より優先的に施すように決定してもよい。
【００７９】
これによると、遷移効果決定部１６０は、冗長性が低く、かつ、前後の画像に対して使用される表示演出効果と違和感のない遷移演出効果を決定することができる。
【００８０】
[５．選択画面の構成]
続いて、液晶ディスプレイ１０９が表示する画像編集装置１００の操作画面の一例である選択画面の構成について図６を用いて説明する。図６は、液晶ディスプレイ１０９に表示される選択画面のイメージ図である。
【００８１】
図６に示すように、液晶ディスプレイ１０９に表示される選択画面は、素材選択エリア５００、テンプレート選択エリア５０１、完了釦５０２等から構成される。
【００８２】
素材選択エリア５００は、コンテデータを作成するための素材となる画像データを表示するエリアである。素材となる画像データには、静止画像データや動画像データがある。図６に示すように、素材選択エリア５００には、複数の画像データが表示される。素材選択エリア５００に表示される画像データは、ＨＤＤ１０４に格納された画像データの全てでもよい。また、特定のフォルダに格納された画像データのみを選択的に抽出したものでもよい。または、特定のフォルダに格納された画像データの中から、更にユーザーにより選別された画像データを抽出したものでもよい。
【００８３】
なお、素材選択エリア５００に表示された画像データについて、コンテデータに組み入れたい画像データとしての優先度をユーザーが設定できるようにしてもよい。この場合、素材選択エリア５００に表示された画像データは、コンテデータ作成時に組み入れられる画像の候補となるが、全ての画像を採用できない場合に、優先度が高く設定された画像データを優先的に採用することができる。これにより、ユーザーが所望する画像を採用したコンテデータを作成することができる。
【００８４】
テンプレート選択エリア５０１は、ユーザーが選択可能なテンプレートを表示するエリアである。ユーザーが選択可能なテンプレートとして、例えば図６に示すように、「人物中心のスローテンポテンプレート」、「人物中心のアップテンポテンプレート」、「風景中心のスローテンポテンプレート」、「風景中心のアップテンポテンプレート」等が表示される。「人物中心のスローテンポテンプレート」は、人物が撮像された画像への使用に適した、スローテンポなＢＧＭに合わせた表示演出効果を用いて構成されたストーリーを記述したテンプレートである。同様に、「人物中心のアップテンポテンプレート」は、人物が撮像された画像への使用に適した、アップテンポなＢＧＭに合わせた表示演出効果を用いて構成されたストーリーを記述したテンプレートである。「風景中心のスローテンポテンプレート」は、風景が撮像された画像への使用に適した、スローテンポなＢＧＭに合わせた表示演出効果を用いて構成されたストーリーを記述したテンプレートである。「風景中心のアップテンポテンプレート」は、風景が撮像された画像への使用に適した、アップテンポなＢＧＭに合わせた表示演出効果を用いて構成されたストーリーを記述したテンプレートである。各テンプレート表示領域には、テンプレートのイメージ画像や、テンプレート名や、該テンプレートに設定されたＢＧＭの再生時間が表示される。ユーザーはマウス１０５を操作することにより、テンプレートを選択することができる。このように、テンプレートを複数種類用意することで、作成するコンテデータの雰囲気を変更することができる。
【００８５】
完了釦５０２は、コンテデータ作成のための素材画像、及びテンプレートの選択を完了させるボタンである。ユーザーは、マウス１０５を操作して、完了釦５０２を押下することにより選択を完了することができる。コンテデータ作成のための選択が完了すると、素材選択エリア５００で選択された素材画像の画像データ、及びテンプレート選択エリア５０１で選択されたテンプレートに基づいてコンテデータが生成される。
【００８６】
［６．確認画面の構成］
続いて、液晶ディスプレイ１０９が表示する画像編集装置１００の操作画面の他の例である確認画面の構成について図７を用いて説明する。図７は、液晶ディスプレイ１０９に表示される確認画面のイメージ図である。
【００８７】
図７に示すように、液晶ディスプレイ１０９に表示される確認画面は、編集操作エリア６００、プレビューエリア６０１、コンテデータボードエリア６０２、コンテデータ保存釦６０３、ファイル出力釦６０４等から構成される。
【００８８】
プレビューエリア６０１は、作成したコンテデータの再生を実行する画面である。ユーザーは作成したコンテデータの内容を実際に映像で確認することができる。
【００８９】
コンテデータボードエリア６０２は、作成したコンテデータの内容を表示するエリアである。コンテデータボードエリアには、複数の箱（６０５ａ、６０５ｂ、・・・）が配列上に並んでいる。箱の配置された順序は、コンテデータ上の表示の順序に対応する。それぞれの箱には、素材選択エリア５００に表示されていた画像から抽出してきた画像のいずれかが配置されている。また、それぞれの箱には、各画像の表示演出効果を表すアイコンも表示されている。また、図示していないが、それぞれの箱に、画像と画像との間の遷移演出効果を示すアイコンを合わせて表示してもよい。また、図示していないが、それぞれの箱に配置された画像をムービー表示する際の再生時間を合わせて表示してもよい。また、表示演出効果のアイコンや遷移演出効果のアイコンは、箱とは別に表示してもよい。これにより、ユーザーはコンテデータ上に、どの素材が、どのような順序で、どの表示演出効果で、どの遷移演出効果で、どのような再生時間で配置されているかを確認することができる。
【００９０】
編集操作エリア６００は、コンテデータボードエリアのそれぞれの箱（６０５ａ、６０５ｂ、・・・）に対して、表示演出効果を編集操作するエリアである。ユーザーは、マウス１０５を操作することにより、それぞれの箱に設定したい表示演出効果を選択できる。
【００９１】
コンテデータ保存釦６０３は、マウス１０５の操作により選択することができる。ユーザーは、コンテデータ保存釦６０３を押下することにより、コンテデータ情報を、ＨＤＤ１０４に保存することができる。コンテデータ情報は、どの素材が、どのような順序で、どの表示演出効果で、どの遷移演出効果で、どのような再生時間で配置されるかを管理するための情報を含んでいる。なお、図示していないが、例えば上の階層の画面において、コンテデータ読出しボタンを設けておき、ここで保存したコンテデータ情報を読み出せるように構成してもよい。
【００９２】
ファイル出力釦６０４は、マウス１０５の操作により選択することができる。ユーザーは、ファイル出力釦６０４を押下することにより、作成されたコンテデータ情報に基づいて動画ファイルを作成することができる。このとき作成される動画ファイルの出力形式は、予めユーザーが選択できるようにしておいてもよい。すなわち、ユーザーがＡＶＣＨＤファイル形式を選択している場合は、ＡＶＣＨＤファイル形式の動画ファイルを作成する。
【００９３】
[７．テンプレートの構成情報]
続いて、テンプレートの持つ情報について説明する。図８は、本実施の形態に係るテンプレートの階層構造を説明するための図である。
【００９４】
テンプレートはストーリーデータを作成する際に、どのような表示演出効果を、どのような順番にて連続して並べるかを記載した情報である。テンプレートには、順番が記載された表示演出効果のそれぞれについて、どれだけの再生時間を割り当てるかが記述されている。画像編集装置１００は、テンプレートに記載された表示演出効果の順番に従って、表示演出効果を連続して配置する。
【００９５】
図８を用いて、テンプレートの一例について説明する。図８に示すように、テンプレートは、オープニング部、第一メイン部、第二メイン部、エンディング部を有する。なお、本実施の形態では、第一メイン部、第二メイン部と、２つのメイン部がある場合を例に示すが、１つのメイン部のみから構成されていてもよいし、３つ以上の複数のメイン部を有していてもよい。
【００９６】
また、オープニング部、第一メイン部、第二メイン部、エンディング部はそれぞれ、表示演出効果ノード又は、表示演出効果ノードを１つ以上有する繰り返しノードから構成される。表示演出効果ノードは素材の再生時間情報と表示演出効果の種類情報とを持つ。なお、表示演出効果ノードは子ノードを持つことができない。各表示演出効果ノードにおいて指定された再生時間と表示演出効果とに従って、画像編集装置１００は画像を表示する。繰り返しノードは、該繰り返しノードの子ノードに所属する効果ノード又は繰り返しノードについて、指定繰り返し回数分繰り返すための情報を持つ。繰り返しノードでは、子ノードに指定された一連のノード（子ノード１、子ノード２、・・・子ノードｎ）を順に複数回繰り返すことができる。１回繰り返す場合は（子ノード１）→（子ノード２）→・・・→（子ノードｎ）という表示順序になり、２回繰り返す場合は（子ノード１）→（子ノード２）→・・・→（子ノードｎ）→（子ノード１）→（子ノード２）→・・・→（子ノードｎ）という表示順序になる。
【００９７】
以上のように、初期設定されている繰り返し回数でストーリーを生成し、表示演出効果ノードを順に並べると、図８を参照して、（Ａ）→（Ｂ）→（Ｄ）→（Ｅ）→（Ｆ）→（Ｇ）→（Ｄ）→（Ｅ）→（Ｆ）→（Ｇ）→（Ｉ）→（Ｋ）→（Ｌ）→（Ｋ）→（Ｌ）→（Ｉ）→（Ｋ）→（Ｌ）→（Ｋ）→（Ｌ）→（Ｉ）→（Ｋ）→（Ｌ）→（Ｋ）→（Ｌ）→（Ｍ）となる。以上のように、テンプレートは、繰り返しノードと表示演出効果ノードを持つツリー構造を成している。
【００９８】
なお、図８では、表示演出効果の種類とその再生時間とを記述しているが、再生時間だけ記述してもよい。その場合、画像編集装置１００は、テンプレートに記載された再生時間の順番に従って、表示演出効果なしの表示演出効果を連続して配置する。
【００９９】
以上述べた画像編集装置１００が行う処理全体の流れを、図１１を参照して説明する。
【０１００】
図１１は、実施の形態に係る画像編集装置１００が行う処理全体の流れを示すフローチャートである。
【０１０１】
まず、取得部１５０は、例えばＨＤＤ１０４から複数の画像を取得する（Ｓ１００）。
【０１０２】
次に、遷移効果決定部１６０は、取得した複数の画像を順に表示装置２００に表示させる際に、当該複数の画像のそれぞれに施すべき表示処理として当該画像に事前に関連づけられた表示演出効果に基づいて定まる複数の遷移演出効果の候補の中から、当該画像と次の画像とを切り替えて表示するときに当該画像及び次の画像の少なくとも一方に施すべき表示処理である遷移演出効果を決定する（Ｓ１０２）。
【０１０３】
最後に、表示制御部１７０は、表示演出効果及び遷移演出効果を複数の画像に施しながら、表示装置２００に順に表示させる（Ｓ１０４）。
【０１０４】
［８．ストーリー作成動作］
続いて、選択された素材、選択されたテンプレートに基づいて、画像編集装置１００がコンテデータを作成する手順について詳細に説明する。図１２は、実施の形態に係る画像編集装置１００がコンテデータを作成する処理の流れを示すフローチャートである。図１２に示されるフローチャートは、図１１のステップＳ１００及びステップＳ１０２を詳細に説明するものである。
【０１０５】
まず、ユーザーは、コンテデータ作成に使用する画像を選択する（Ｓ１０００）。画像が選択されると、画像編集装置１００は、選択された画像を素材選択エリア５００に表示する。なお、上述したとおり、ここから更に優先度をユーザーが設定するようにしてもよい。
【０１０６】
続いて、ユーザーは、コンテデータ作成に使用するテンプレートを選択する（Ｓ１００１）。テンプレートが選択されると、画像編集装置１００は、テンプレート選択エリアの該当のテンプレートを強調表示する。ステップＳ１０００とステップＳ１００１の動作は、順番が入れ替わってもかまわない。
【０１０７】
コンテデータ作成に使用する、素材、テンプレートの選択を終えたら、ユーザーは完了釦５０２を押下することにより、選択内容を確定することができる（Ｓ１００２）。そして、画像編集装置１００は、選択内容に従って、どの画像を、どの表示演出効果で、どのくらい表示し、次の画像との間にどの遷移演出効果を使うのか記述したコンテデータを作成する（Ｓ１００３）。
【０１０８】
続いて、ステップＳ１００３におけるコンテデータ作成の詳細動作について図１３を参照して説明する。
【０１０９】
図１３は、実施の形態に係る画像編集装置１００がコンテデータを作成する処理（図１２のステップＳ１００３）の詳細フローチャートである。
【０１１０】
まず、画像編集装置１００は、ステップＳ１００１において選択されたテンプレートの情報を読み出す（Ｓ１１００）。次に、画像編集装置１００は、テンプレートの設定に従いストーリーデータを作成する（Ｓ１１０１）。このとき、画像編集装置１００は、テンプレートに表示演出効果が記述されていれば、テンプレート通りに表示演出効果をストーリーデータへ連続して配置する。また、テンプレートに表示演出効果が記述されていなければ、画像編集装置１００は、「表示演出効果なし」をストーリーデータへ連続して配置する。なお、このテンプレートに基づく表示演出効果の配置は仮決定である。後述するように配置される画像の撮影情報や前後の表示演出効果に基づいて再調整が行われ、最終的な表示演出効果が決定される。
【０１１１】
続いて、画像編集装置１００は、作成したストーリーデータが示す時間軸上に画像を配置して、仮コンテデータを作成する（Ｓ１１０２）。具体的には、画像編集装置１００は、素材選択エリア５００に表示された画像の中から、画像を撮影日時順にソートして、順にストーリーデータ中の各ノードに当てはめる。素材となる画像の数がストーリーデータ中のノードの数より少ない場合、ランダムに同じ素材画像を複数回使用する。素材となる画像の数がストーリーデータ中のノードの数よりも多い場合は、例えば、以下の条件により使用する素材を選択してもよい。
【０１１２】
条件１：素材全体から撮影日時に偏りがないように満遍なく選択する。
【０１１３】
条件２：テンプレートとして、人物中心のものが選択されている場合は、人物が主被写体となっている画像を優先的に選択する。
【０１１４】
条件３：テンプレートとして、風景中心のものが選択されている場合は、風景が主被写体となっている画像を優先的に選択する。
【０１１５】
条件４：ステップＳ１０００において、素材選択エリア５００に表示されている画像に優先度を設定している場合は、優先度が高い画像を優先的に選択する。
【０１１６】
次に、表示効果決定部１５５は、各画像の表示演出効果を決定する（Ｓ１１０３）。
【０１１７】
具体的には、表示効果決定部１５５は、取得画像の撮影情報と表示演出効果との対応関係を示すテーブルを参照して表示演出効果を決定する。再度図４を例にとると、取得した画像に付与された撮影情報が「横撮り画像」の場合、対応する表示演出効果リストには、「右方向に平行移動」、「左方向に平行移動」、「拡大」、「縮小」の４つの表示演出効果の候補が含まれる。表示効果決定部１５５は、この中から、どれか１つを表示演出効果としてランダムに選択する。また、撮影情報が「横撮り画像」で、かつ「人物モード」で撮影した画像の場合は、より優先度が高い、「人物モード」で撮影した画像に対応する表示演出効果リストが使用される。すなわち、表示効果決定部１５５は、「人物を中心に拡大」、「人物を中心に縮小」、「人物が映るように右方向に平行移動」、「人物が映るように左方向に平行移動」、「人物が映るように上方向に平行移動」、「人物が映るように下方向に平行移動」、の６つの表示演出効果の候補の中から、どれか１つを表示演出効果としてランダムに選択する。
【０１１８】
なお、表示効果決定部１５５は、画像の撮影情報に該当し、かつ優先度が最も高い表示演出効果リスト中に、ステップＳ１１０１においてストーリーデータ中に仮決定された表示演出効果が含まれる場合は、ステップＳ１１０１にて仮決定された表示演出効果をそのまま採用する。
【０１１９】
次に、遷移効果決定部１６０は、各画像間の遷移演出効果を決定する（Ｓ１１０４）。具体的には、遷移効果決定部１６０は、前述のように、表示演出効果と遷移演出効果との対応関係を定めた遷移テーブルを参照する。次に、遷移効果決定部１６０は、表示演出効果に対応する遷移演出効果リストに含まれる遷移演出効果の候補の中から、使用する遷移演出効果を決定する。
【０１２０】
より具体的には、再度図５を参照して、遷移効果決定部１６０は、表示演出効果と遷移演出効果との対応関係を示す遷移テーブルを参照する。ここで、遷移効果決定部１６０は、第１画像から第２画像への切替時に使用する遷移演出効果を決定するものとする。また、第１画像に設定された遷移前表示演出効果が「左方向に平行移動」であり、第２画像に設定された遷移後表示演出効果が、「右方向に平行移動」であるとする。この場合、遷移の前後２つの表示演出効果に対応する遷移演出効果リストには、「クロスフェード」、「左にスライドイン」、「右にスライドイン」、の３つの遷移演出効果の候補が含まれている。したがって、遷移効果決定部１６０は、３つのうちのどれか１つをランダムに選択する。
【０１２１】
なお、前述したように、図５には、遷移前表示演出効果が「拡大」で、遷移直後表示演出効果が「拡大」の場合に対応する遷移演出効果リストが、２つ記述してある。このような場合は、遷移効果決定部１６０は、優先度の高い遷移演出効果リストから選択する。図５の場合は、遷移効果決定部１６０は、より優先度の高い優先度３が指定されている「破裂」を選ぶ。
【０１２２】
なお、前後の画像の表示演出効果がともに「拡大」である画像が繰り返される場合に、優先度のより高い遷移演出効果を常に採用していると、遷移演出効果として「破裂」が繰り返されることになる。これを回避するために、ステップＳ１１０６で詳細に述べるように、遷移効果決定部１６０は、優先度３の遷移演出効果が連続して繰り返されるときは、次回の遷移演出効果として、優先度２の遷移演出効果である「スピンイン」を採用してもよい。すなわち、表示演出効果として「拡大」が繰り返されるとき、遷移効果決定部１６０は、遷移演出効果としては、「破裂」と「スピンイン」とを交互に繰り返して選択してもよい。
【０１２３】
続いて、表示効果決定部１５５は、作成したコンテデータの表示演出効果を調整してもよい（Ｓ１１０５）。同じ表示演出効果が連続して続くと、冗長した演出になる。そこで、表示効果決定部１５５は、前後で同じ表示演出効果が続いていないかを確認し、直前の表示演出効果と同じ表示演出効果だった場合、表示演出効果の種類を変更する。
【０１２４】
具体的には、表示効果決定部１５５は、連続する同じ表示演出効果に代わり、前述の取得画像の撮影情報と表示演出効果との対応関係を示すテーブルに記述されている他の候補を表示演出効果として決定する。他の候補がない場合は、優先度を下げて決定する。例えば、注目している画像の表示演出効果が「拡大」であり、その直前の画像の表示演出効果も「拡大」であるとする。よって、連続して同じ表示演出効果が続いている。そこで表示効果決定部１５５は、ステップＳ１１０５において注目している画像に使用される表示演出効果を変更する。ここで、該画像の撮影情報が「縦撮り画像」だった場合、表示効果決定部１５５は、対応する表示演出効果を、「拡大」以外の、「下方向に平行移動」、「上方向に平行移動」、「縮小」、の３つの中からランダムに選択すればよい。しかし、仮に、「縦撮り画像」に対応する表示演出効果リストに、「拡大」しか含まれなかった場合、優先度を下げて、他の表示演出効果を探す必要がある。ここで、縦撮り画像の優先度は「１」であるため、「１」より低い優先度で、該画像に当てはまる撮影情報を探す。すると、優先度「０」に対応する表示演出効果リストは、撮影情報が「全ての画像」に当てはまる。したがって、表示効果決定部１５５は、「全ての画像」に対応する表示演出効果リストの中から、「拡大」、以外の表示演出効果を選択すればよい。
【０１２５】
なお、表示演出効果の冗長性は、前述のように直前の表示演出効果と同じかどうかで判断してもよいし、４回連続する場合に冗長であると判断する、というように数値で判断してもよい。また、同じ表示演出効果が連続していなくても、注目の画像の前後３個以内の画像に同じ表示演出効果が存在する場合、というように一定の範囲内に同じ表示演出効果が含まれるかどうかで判断してもよい。
【０１２６】
続いて、遷移効果決定部１６０は、作成したコンテデータの遷移演出効果を調整してもよい（Ｓ１１０６）。同じ遷移演出効果が連続して続くと、冗長した演出になるためである。遷移効果決定部１６０は、前後で同じ遷移演出効果が続いていないか確認する。ここで、直前の遷移演出効果と同じ遷移演出効果だった場合、遷移演出効果の種類を変更する。
【０１２７】
具体的には、遷移効果決定部１６０は、遷移テーブルを参照する。その後、表示演出効果に対応する遷移演出効果リストに含まれる遷移演出効果の候補の中から、変更すべき遷移演出効果とは異なる遷移演出効果を選択する。他の候補がない場合は、遷移効果決定部１６０は、遷移演出効果リストの優先度を下げて選ぶ。例えば、ある画像に対して指定された遷移演出効果が「回転」であり、次の画像に対して指定された遷移演出効果も「回転」であったとき、連続して同じ遷移演出効果になる。したがって、遷移効果決定部１６０は、次の画像に対して指定された遷移演出効果を変更する。例えば、このとき、ある画像に対して指定された表示演出効果が「拡大」で、次の画像に対して指定された表示演出効果が「縮小」の場合、「スピンイン」を選択すればよい。
【０１２８】
もしも、表示演出効果に対応する遷移演出効果リストの中に「回転」以外の遷移演出効果が含まれていない場合には、遷移効果決定部１６０は、より優先度が低い遷移演出効果リストの中から遷移演出効果を選択する。例えば、ある画像に対して指定された遷移演出効果が「破裂」であり、次の画像に対して指定された遷移演出効果も「破裂」であったとき、同じ遷移演出効果が連続している。したがって、遷移効果決定部１６０は、次の画像に対して指定された遷移演出効果を変更する。ここで、ある画像に対して指定された表示演出効果が「拡大」で、次の画像に対して指定された表示演出効果が「拡大」である場合、対応する遷移演出効果リストには「破裂」以外の遷移演出効果の候補が含まれていない。そこで、遷移効果決定部１６０は優先度を下げて、他の遷移演出効果を探す。このとき、該遷移演出効果リストの優先度は「３」であるため、「３」より低い優先度で、該表示演出効果に対応する遷移演出効果リストを探す。すると、優先度「２」で、遷移前の表示演出効果が「拡大」、かつ遷移後後の表示演出効果が「拡大」の場合に対応する遷移演出効果リストが見つかる。そこで、遷移効果決定部１６０は、この遷移演出効果リストに含まれる表示演出効果を選択する。例えば、ランダムに選択することにより、「スピンイン」を選択すればよい。
【０１２９】
なお、遷移効果決定部１６０が冗長な遷移演出効果である、と判断する基準は、前述のように直前の遷移演出効果と同じかどうかで判断してもよい。また、同じ遷移演出効果が４回連続する場合、というように数値で判断してもよい。また、連続していなくても、注目の画像間の前後３個以内の画像間に同じ遷移演出効果が存在する場合、というように一定の範囲内に同じ遷移演出効果が含まれるかどうかで判断してもよい。
【０１３０】
以上の動作により、画像編集装置１００は、コンテデータを完成させる（Ｓ１１０７）。そして、コンテデータ作成動作を終了する。
【０１３１】
なお、図１４は、上記ステップＳ１１０４において、遷移効果決定部１６０が行う詳細な処理の流れを示すフローチャートである。
【０１３２】
まず、遷移効果決定部１６０は、遷移テーブルを参照する（Ｓ２０２）。遷移テーブルには、複数の画像のうち、第１の画像に関連付けられた表示演出効果と、第１の画像の直前又は直後に表示される画像の少なくとも一方である第２の画像に関連付けられた表示演出効果との組に、第１の画像から第２の画像へと切り替えて表示するときに使用すべき複数の遷移演出効果の候補を示す遷移演出効果リストが対応付けられている（Ｓ２０２）。
【０１３３】
次に、遷移効果決定部１６０は、遷移演出効果を決定すべき連続した画像に指定されている表示演出効果の組に対応する遷移演出効果リストを選択する（Ｓ２０４）。なお、遷移演出効果リストには優先度が対応付けられていてもよい。この場合、対応する遷移演出効果リストが複数ある場合に、遷移効果決定部１６０は、より優先度が高い遷移演出効果リストを選択する。
【０１３４】
最後に、遷移効果決定部１６０は、遷移演出効果リストに含まれる遷移演出効果の候補の中から遷移演出効果を決定する（Ｓ２０６）。遷移効果決定部１６０は、遷移演出効果をランダムに決定してもよい。また、遷移演出効果リストに記載された順に、順番に選択することで決定してもよい。
【０１３５】
また、図１５は、上記ステップＳ１１０６において、遷移効果決定部１６０が行う詳細な処理の流れを示すフローチャートである。
【０１３６】
まず、遷移効果決定部１６０は、例えば図１４に示した処理により決定された遷移演出効果を、冗長性を判断する対象として選択する（Ｓ３０２）。
【０１３７】
次に、遷移効果決定部１６０は、選択した遷移演出効果が冗長であるか否かを判定する（Ｓ３０４）。冗長性の基準は、前述した通りである。ここで、冗長ではないと判定した場合（Ｓ３０４でＮｏ）、遷移効果決定部１６０は、ステップＳ３０２で選択した遷移演出効果を、最終的に採用すべき遷移演出効果として決定する。一方、冗長であると判定した場合（Ｓ３０４でＹｅｓ）、遷移効果決定部１６０は、冗長であると判定された遷移演出効果を含む遷移演出効果リスト内に、他の遷移演出効果の候補が含まれているかを判定する（Ｓ３０６）。
【０１３８】
ここで、他の遷移演出効果の候補が含まれている場合には（Ｓ３０６でＹｅｓ）、その中の１つを、最終的に採用すべき遷移演出効果として決定する（Ｓ３１０）。一方、他の遷移演出効果の候補が含まれていない場合には（Ｓ３０６でＮｏ）、遷移効果決定部１６０は、再度遷移テーブルを参照する。その後、対象とする画像それぞれについて決定されている表示演出効果の組に対応する遷移演出効果リストのなかから、他の遷移演出効果リストを選択する。その後、遷移効果決定部１６０は、新たに選択した遷移演出効果リストに含まれる遷移演出効果の候補の中の１つを、最終的に採用すべき遷移演出効果として決定する（Ｓ３０８）。
【０１３９】
[９．他の実施の形態]
本発明は、上記実施の形態に限定されず、他の実施の形態も考えられる。以下、他の実施の形態についてまとめて説明する。
【０１４０】
上記実施の形態では、画像編集装置１００がコンテデータ作成動作を終了するまでを説明した。しかし、そのあと、ユーザーが表示演出効果を手動で変更してもよい。さらに、そのあと、画像編集装置１００は、ユーザーが手動変更した表示演出効果に適した遷移演出効果になるように、ユーザーが手動変更した表示演出効果の前後の遷移演出効果を変更してもよい。具体的には、図７に示すプレビュー画面が液晶ディスプレイ１０９に表示されているときに、ユーザーは表示演出効果の変更を望む画像を、マウス１０５を用いた操作により変更することができる。ユーザーにより、ある画像の表示演出効果が変更されると、画像編集装置１００は、図５に示すテーブルに従って、表示演出効果を変更した画像と、その前後の画像との切り替えにそれぞれ使用される遷移演出効果を変更してもよい。
【０１４１】
また、上記実施の形態では、遷移効果決定部１６０は、表示演出効果が決定されるたび（ステップＳ１１０３、ステップＳ１１０５）に、遷移演出効果を決定した（ステップＳ１１０４、ステップＳ１１０６）。しかし、遷移効果決定部１６０は、表示演出効果の決定が全て完了してから、遷移演出効果を決定するようにしてもよい。
【０１４２】
なお、表示効果決定部１５５は、連写により撮影された複数の画像を素材画像として用いる場合は、連写であることを示す撮影情報に対応付けて、表示演出効果を決定するようにしてもよい。例えば、この場合、表示効果決定部１５５は、連写された複数の画像から構成される画像群は１つの画像グループとして扱ってもよい。表示効果決定部１５５は、同じ画像グループには、同じ遷移演出効果を連続して使用するように決定してもよい。
【０１４３】
上記実施の形態では、ＢＧＭはすでに決められている。しかし、画像編集装置１００は、ユーザーが任意で選んだＢＧＭを設定してもよい。その場合は、ステップＳ１１０３において、画像編集装置１００は、ＢＧＭの長さに合うように、ストーリーデータの長さを調節する。例えば、画像編集装置１００は、テンプレートに記述してある各ノードを時間的に均等に繰り返したり減らしたりしてもよい。
【０１４４】
また、上記実施の形態では、ステップＳ１１０２において、画像編集装置１００は、素材選択エリア５００に表示された画像の中から、画像を撮影日時順にソートするようにした。しかし、画像編集装置１００は、画像のソートをランダムとしてもよい。また、ソートの種類をあらかじめユーザーが設定してもよい。
【０１４５】
また、上記実施の形態では、画像編集装置としてＰＣ１００を使用した場合を説明した。しかし、本発明はこれに限定されない。例えば、クラウドサービスを想定したときに、ネットワーク上にて、本発明の思想を実現するようにしてもよい。このとき、ユーザーは、クラウドサービス上の制御装置に対して、ムービー作成用の画像を提供する。ムービー作成用の画像が提供されると、クラウドサービス上の制御装置は、図１３に示すフローチャートに従って、ムービーを作成し、ユーザーのローカルの端末に該ムービーを供給するようにしてもよい。すなわち、ムービー作成用の複数の画像を取得する取得ステップと、ムービー作成用の対象となっている画像に関連付けられた表示演出効果に基づいて、表示対象の画像を表示するとき又は非表示にするときの遷移演出効果を決定する決定ステップと、決定された表示演出効果及び遷移演出効果に基づいて、ムービーを生成し、該ムービーを供給する供給ステップと含む画像編集方法を使用するシステムに本発明は適用可能である。
【０１４６】
なお、上記実施の形態では、ショートムービーとしたが、スライドショーにも本発明を適用可能である。
【産業上の利用可能性】
【０１４７】
本発明は、画像編集装置に適用できる。特に連続して表示される複数の画像の編集操作が可能な画像編集装置に適用できる。
【符号の説明】
【０１４８】
９９  コンピュータ
１００  画像編集装置
１０１  ＣＰＵ
１０２  システム管理メモリ
１０３  ワークメモリ
１０４  ＨＤＤ
１０５  マウス
１０６  キーボード
１０７  ＵＳＢコネクタ
１０８  表示デバイス
１０９  液晶ディスプレイ
１５０  取得部
１５５  表示効果決定部
１６０  遷移効果決定部
１７０  表示制御部
２００  表示装置
２１０  画像編集システム
３００  撮影情報欄
３０１  優先度欄
３０２  表示演出効果リスト欄
４００  表示演出効果欄
４０１  遷移演出効果リスト欄
４０２  優先度欄
５００  素材選択エリア
５０１  テンプレート選択エリア
５０２  完了釦
６００  編集操作エリア
６０１  プレビューエリア
６０２  コンテデータボードエリア
６０３  コンテデータ保存釦
６０４  ファイル出力釦
【図１】
2013009299.tif 000003
【図２】
2013009299.tif 000004
【図３】
2013009299.tif 000005
【図４】
2013009299.tif 000006
【図５】
2013009299.tif 000007
【図６】
2013009299.tif 000008
【図７】
2013009299.tif 000009
【図８】
2013009299.tif 000010
【図９】
2013009299.tif 000011
【図１０】
2013009299.tif 000012
【図１１】
2013009299.tif 000013
【図１２】
2013009299.tif 000014
【図１３】
2013009299.tif 000015
【図１４】
2013009299.tif 000016
【図１５】
2013009299.tif 000017